(57)【特許請求の範囲】
【請求項１】
所定の無線通信方式による携帯電話網からの電波を受信する第１の受信手段と、前記携帯電話網より通信エリアが狭く、通信速度の速い無線通信方式による近距離無線網からの電波を受信する第２の受信手段とを備える移動通信端末において、
前記第１及び第２の受信手段のうち、待受け動作中の前記受信手段に受信される電波の受信強度に基づいて、前記携帯電話網及び近距離無線網のそれぞれの通信圏内に存在するか否かを検出する通信網検出手段と、
前記第１及び第２の受信手段のうち、待受け動作中の前記受信手段によって受信される電波に基づいて、フェージングピッチを計測するフェージングピッチ計測手段と、
前記通信網検出手段による検出結果と、前記フェージングピッチ計測手段によって計測される前記フェージングピッチに基づいて、前記第１の受信手段と前記第２の受信手段のそれぞれの待受け動作のＯＮ／ＯＦＦを制御する待受け制御手段と
を備え、
前記待受け制御手段は、前記フェージングピッチが所定の下限閾値以上且つ所定上限閾値以下の場合に、前記第１の受信手段及び前記第２の受信手段の待ち受け動作をＯＮにし、前記フェージングピッチが前記所定の下限閾値より小さく、かつ、前記通信網検出手段による前記検出結果に基づいて前記近距離無線網の通信圏内に存在すると判断する場合に、前記第２の受信手段の待受け動作をＯＮにすると共に、前記第１の受信手段の待ち受け動作をＯＦＦにし、前記フェージングピッチが前記所定の下限閾値より小さく、かつ、前記通信網検出手段による前記検出結果に基づいて前記携帯電話網の通信圏内のみに存在すると判断する場合に、前記第２の受信手段の待受け動作をＯＦＦにすると共に、前記第１の受信手段の待ち受け動作をＯＮにし、前記フェージングピッチが前記所定の上限閾値より大きい場合に、前記第１の受信手段の待受け動作をＯＮにすると共に、前記第２の受信手段の待受け動作をＯＦＦにする、
ことを特徴とする移動通信端末。
【請求項２】
前記待受け制御手段は、前記通信網検出手段による前記検出結果に基づいて、前記携帯電話網及び近距離無線網の通信圏外であると判断する場合に、前記第１及び第２の受信手段の待受け動作を所定時間ＯＦＦにすることを特徴とする請求項１に記載の移動通信端末。
【請求項３】
所定の無線通信方式による携帯電話網からの電波を受信する第１の受信手段と、前記携帯電話網より通信エリアが狭く、通信速度の速い無線通信方式による近距離無線網からの電波を受信する第２の受信手段とを備える移動通信端末の待受け制御方法であって、
通信網検出手段が、前記第１及び第２の受信手段のうち、待受け動作中の前記受信手段に受信される電波の受信強度に基づいて、前記携帯電話網及び近距離無線網のそれぞれの通信圏内に存在するか否かを検出する通信網検出ステップと、
フェージングピッチ計測手段が、前記第１及び第２の受信手段のうち、待受け動作中の前記受信手段によって受信される電波に基づいて、フェージングピッチを計測するフェージングピッチ計測ステップと、
待受け制御手段が、前記通信網検出手段による検出結果と、前記フェージングピッチ計測手段によって計測される前記フェージングピッチに基づいて、前記第１の受信手段と前記第２の受信手段のそれぞれの待受け動作のＯＮ／ＯＦＦを制御する待受け制御ステップと
を備え、
前記待受け制御ステップにおいて、前記待受け制御手段は、前記フェージングピッチが所定の下限閾値以上且つ所定上限閾値以下の場合に、前記第１の受信手段及び前記第２の受信手段の待ち受け動作をＯＮにし、前記フェージングピッチが前記所定の下限閾値より小さく、かつ、前記通信網検出手段による前記検出結果に基づいて前記近距離無線網の通信圏内に存在すると判断する場合に、前記第２の受信手段の待受け動作をＯＮにすると共に、前記第１の受信手段の待ち受け動作をＯＦＦにし、前記フェージングピッチが前記所定の下限閾値より小さく、かつ、前記通信網検出手段による前記検出結果に基づいて前記携帯電話網の通信圏内のみに存在すると判断する場合に、前記第２の受信手段の待受け動作をＯＦＦにすると共に、前記第１の受信手段の待ち受け動作をＯＮにし、前記フェージングピッチが前記所定の上限閾値より大きい場合に、前記第１の受信手段の待受け動作をＯＮにすると共に、前記第２の受信手段の待受け動作をＯＦＦにする、
ことを特徴とする待受け制御方法。
【請求項４】
前記待受け制御ステップにおいて、前記待受け制御手段は、前記通信網検出手段による前記検出結果に基づいて、前記携帯電話網及び近距離無線網の通信圏外であると判断する場合に、前記第１及び第２の受信手段の待受け動作を所定時間ＯＦＦにすることを特徴とする請求項３に記載の待受け制御方法。
【請求項５】
所定の無線通信方式による携帯電話網からの電波を受信する第１の受信手段と、前記携帯電話網より通信エリアが狭く、通信速度の速い無線通信方式による近距離無線網からの電波を受信する第２の受信手段とを備える移動通信端末を、
前記第１及び第２の受信手段のうち、待受け動作中の前記受信手段に受信される電波の受信強度に基づいて、前記携帯電話網及び近距離無線網のそれぞれの通信圏内に存在するか否かを検出する通信網検出手段と、
前記第１及び第２の受信手段のうち、待受け動作中の前記受信手段によって受信される電波に基づいて、フェージングピッチを計測するフェージングピッチ計測手段と、
前記通信網検出手段による検出結果と、前記フェージングピッチ計測手段によって計測される前記フェージングピッチに基づいて、前記第１の受信手段と前記第２の受信手段のそれぞれの待受け動作のＯＮ／ＯＦＦを制御する待受け制御手段と
として機能させ、
前記待受け制御手段は、前記フェージングピッチが所定の下限閾値以上且つ所定上限閾値以下の場合に、前記第１の受信手段及び前記第２の受信手段の待ち受け動作をＯＮにし、前記フェージングピッチが前記所定の下限閾値より小さく、かつ、前記通信網検出手段による前記検出結果に基づいて前記近距離無線網の通信圏内に存在すると判断する場合に、前記第２の受信手段の待受け動作をＯＮにすると共に、前記第１の受信手段の待ち受け動作をＯＦＦにし、前記フェージングピッチが前記所定の下限閾値より小さく、かつ、前記通信網検出手段による前記検出結果に基づいて前記携帯電話網の通信圏内のみに存在すると判断する場合に、前記第２の受信手段の待受け動作をＯＦＦにすると共に、前記第１の受信手段の待ち受け動作をＯＮにし、前記フェージングピッチが前記所定の上限閾値より大きい場合に、前記第１の受信手段の待受け動作をＯＮにすると共に、前記第２の受信手段の待受け動作をＯＦＦにする、
待受け制御プログラム。
【請求項６】
前記待受け制御手段は、前記通信網検出手段による前記検出結果に基づいて、前記携帯電話網及び近距離無線網の通信圏外であると判断する場合に、前記第１及び第２の受信手段の待受け動作を所定時間ＯＦＦにすることを特徴とする請求項５記載の待受け制御プログラム。
【発明の詳細な説明】
【０００１】
【発明の属する技術分野】
本発明は、移動通信端末に関する。
【０００２】
【従来の技術】
近年、携帯電話網と、無線ＬＡＮ網のように、異なる二つの通信網を利用した通信が可能な移動通信端末が普及してきている。このような移動通信端末は、異なる二つの通信網からの電波をそれぞれ受信するために、二つの無線受信部を備えている。
【０００３】
【発明が解決しようとする課題】
上述のように二つの無線受信部を備える従来の移動通信端末においては、その移動状況の変化があっても好適な通信を実現するために、それぞれの無線受信部の待受け動作を常にＯＮにしておく必要がある。その結果、電力を多く消費するという問題点があった。
【０００４】
本発明は、このような問題点に鑑みてなされたものであり、二つの無線受信部を備えても、消費電力が少なく、かつ移動状況の変化に対応して好適な通信を実現できる移動通信端末を提供する。
【０００５】
【課題を解決するための手段】
上記課題を解決するため、本発明の移動通信端末は、所定の無線通信方式による携帯電話網からの電波を受信する第１の受信手段と、上記携帯電話網より通信エリアが狭く、通信速度の速い無線通信方式による近距離通信網からの電波を受信する第２の受信手段とを備える移動通信端末において、上記第１及び第２の受信手段のうち、待受け動作中の上記受信手段に受信される電波の受信強度に基づいて、上記携帯電話網及び近距離無線網のそれぞれの通信圏内に存在するか否かを検出する通信網検出手段と、上記第１及び第２の受信手段のうち、待受け動作中の上記受信手段によって受信される電波に基づいて、フェージングピッチを計測するフェージングピッチ計測手段と、上記通信網検出手段による検出結果と、上記フェージングピッチ計測手段によって計測される上記フェージングピッチに基づいて、上記第１の受信手段と上記第２の受信手段のそれぞれの待受け動作のＯＮ／ＯＦＦを制御する待受け制御手段とを備え、上記待受け制御手段は、上記待受け制御手段は、上記フェージングピッチが所定の下限閾値以上且つ所定上限閾値以下の場合に、上記第１の受信手段及び上記第２の受信手段の待ち受け動作をＯＮにし、上記フェージングピッチが上記所定の下限閾値より小さく、かつ、上記通信網検出手段による上記検出結果に基づいて上記近距離無線網の通信圏内に存在すると判断する場合に、上記第２の受信手段の待受け動作をＯＮにすると共に、上記第１の受信手段の待ち受け動作をＯＦＦにし、上記フェージングピッチが上記所定の下限閾値より小さく、かつ、上記通信網検出手段による上記検出結果に基づいて上記携帯電話網の通信圏内のみに存在すると判断する場合に、上記第２の受信手段の待受け動作をＯＦＦにすると共に、上記第１の受信手段の待ち受け動作をＯＮにし、上記フェージングピッチが上記所定の上限閾値より大きい場合に、上記第１の受信手段の待受け動作をＯＮにすると共に、上記第２の受信手段の待受け動作をＯＦＦにすることを特徴としている。
【０００６】
また、上記課題を解決するため、本発明の待受け制御方法は、所定の無線通信方式による携帯電話網からの電波を受信する第１の受信手段と、上記携帯電話網より通信エリアが狭く、通信速度の速い無線通信方式による近距離無線網からの電波を受信する第２の受信手段とを備える移動通信端末の待受け制御方法であって、通信網検出手段が、上記第１及び第２の受信手段のうち、待受け動作中の上記受信手段に受信される電波の受信強度に基づいて、上記携帯電話網及び近距離無線網のそれぞれの通信圏内に存在するか否かを検出する通信網検出ステップと、フェージングピッチ計測手段が、上記第１及び第２の受信手段のうち、待受け動作中の上記受信手段によって受信される電波に基づいて、フェージングピッチを計測するフェージングピッチ計測ステップと、待受け制御手段が、上記通信網検出手段による検出結果と、上記フェージングピッチ計測手段によって計測される上記フェージングピッチに基づいて、上記第１の受信手段と上記第２の受信手段のそれぞれの待受け動作のＯＮ／ＯＦＦを制御する待受け制御ステップとを備え、上記待受け制御ステップにおいて、上記待受け制御手段は、上記フェージングピッチが所定の下限閾値以上且つ所定上限閾値以下の場合に、上記第１の受信手段及び上記第２の受信手段の待ち受け動作をＯＮにし、上記フェージングピッチが上記所定の下限閾値より小さく、かつ、上記通信網検出手段による上記検出結果に基づいて上記近距離無線網の通信圏内に存在すると判断する場合に、上記第２の受信手段の待受け動作をＯＮにすると共に、上記第１の受信手段の待ち受け動作をＯＦＦにし、上記フェージングピッチが上記所定の下限閾値より小さく、かつ、上記通信網検出手段による上記検出結果に基づいて上記携帯電話網の通信圏内のみに存在すると判断する場合に、上記第２の受信手段の待受け動作をＯＦＦにすると共に、上記第１の受信手段の待ち受け動作をＯＮにし、上記フェージングピッチが上記所定の上限閾値より大きい場合に、上記第１の受信手段の待受け動作をＯＮにすると共に、上記第２の受信手段の待受け動作をＯＦＦにすることを特徴としている。
【０００７】
これらの本発明によれば、この移動通信端末は、所定の無線通信方式による携帯電話網から電波を受信する第１の受信手段と、上記携帯電話網より通信エリアが狭く、通信速度の速い無線通信方式による近距離通信網からの電波を受信する第２の受信手段とを備える。更に、この移動通信端末は、通信網検出手段とフェージングピッチ計測手段を備え、通信網検出手段が、第１及び第２の受信手段のそれぞれに受信される電波の受信強度に基づいて、携帯電話網及び近距離通信網のそれぞれの通信圏内に存在するか否かを検出する。また、フェージングピッチ計測手段が、第１及び第２の受信手段のうち、待受け動作中の受信手段によって受信される電波のフェージングピッチを計測する。そして、通信網検出手段による検出結果とフェージングピッチ計測手段によって計測されるフェージングピッチに基づいて、待受け制御手段が第１及び第２の受信手段それぞれの待受け動作のＯＮ／ＯＦＦを制御する。この「フェージングピッチ」とは、受信される電波の強度変化の周波数を意味し、一般に移動通信端末の移動速度が大きい場合にフェージングピッチは大きくなり、移動速度が小さくなるとフェージングピッチは小さくなる傾向がある。すなわち、本発明によれば、通信網検出手段によって検出される移動通信端末の存在位置における通信可能な通信網にかかわる情報と、フェージングピッチから予想される移動通信端末の移動速度とに基づく移動通信端末の移動状況に応じて、携帯電話網及び近距離通信網のうち、その移動状況に適した通信エリアをもつ無線通信方式を採用する通信網からの電波を待受けできるように、待受け制御手段が第１及び第２の受信手段のそれぞれの待受け動作のＯＮ／ＯＦＦを制御する。その結果、第１及び第２の受信手段のうち、その移動状況に適した受信手段の待受け動作をＯＮにして好適な通信を実現すると共に、その移動状況に適さない受信手段の待受け動作をＯＦＦにして、移動通信端末の消費電力を少なくできる。
【０００８】
また、これらの発明によれば、フェージングピッチが所定の下限閾値より小さく、かつ、近距離通信網の通信圏内に移動通信端末が存在すると判断する場合に、待受け制御手段が、第２の受信手段の待受け動作をＯＮにする。すなわち、移動通信端末が近距離通信網の通信エリアに存在し、その移動速度が小さいと予想される場合には、通信エリアの狭い近距離通信網の通信圏内から抜け出る可能性が少ないので、高速な通信速度による通信が実現できる第２の受信手段の待受け動作をＯＮにすることで、好適な通信が実現できる。
【０００９】
更に、これらの発明によれば、フェージングピッチが所定の上限閾値より大きい場合、すなわち移動通信端末の移動速度が大きい場合に、第１の受信手段の待受け動作をＯＮにし、第２の受信手段の待受け動作をＯＦＦにする。すなわち、移動通信端末の高速な移動に対応できる通信エリアの広い携帯電話網からの電波を受信する第１の受信手段のみで待受けを行うので、移動通信端末の消費電力を少なくするとともに、その移動状況に応じた好適な通信を実現できる。
【００１０】
また、本発明の移動通信端末においては、上記待受け制御手段は、上記通信網検出手段による上記検出結果に基づいて、上記携帯電話網及び近距離通信網の通信圏外であると判断する場合に、上記第１及び第２の受信手段の待受け動作を所定時間ＯＦＦにすることを特徴とすることが好適である。
【００１１】
また、本発明の待受け制御方法においては、上記待受け制御ステップにおいて、上記待受け制御手段は、上記通信網検出手段による上記検出結果に基づいて、上記携帯電話網及び近距離通信網の通信圏外であると判断する場合に、上記第１及び第２の受信手段の待受け動作を所定時間ＯＦＦにすることが好適である。
【００１２】
これらの発明によれば、通信網検出手段による検出結果に基づいて、携帯電話網及び近距離通信網の双方に接続できないと判断する場合には、待受け制御手段が第１及び第２の受信手段の双方を所定時間停止させる。このようにして、いずれの通信網からの電波も受信できない場合に、この移動通信端末はその消費電量を少なくすることができる。
【００１３】
また、本発明の待受け制御プログラムは、所定の無線通信方式による携帯電話網からの電波を受信する第１の受信手段と、上記携帯電話網より通信エリアが狭く、通信速度の速い無線通信方式による近距離通信網からの電波を受信する第２の受信手段とを備える移動通信端末を、上記第１及び第２の受信手段のうち、待受け動作中の上記受信手段に受信される電波の受信強度に基づいて、上記携帯電話網及び近距離通信網のそれぞれの通信圏内に存在するか否かを検出する通信網検出手段と、上記第１及び第２の受信手段のうち、待受け動作中の上記受信手段によって受信される電波に基づいて、フェージングピッチを計測するフェージングピッチ計測手段と、上記通信網検出手段による検出結果と、上記フェージングピッチ計測手段によって計測される上記フェージングピッチに基づいて、上記第１の受信手段と上記第２の受信手段のそれぞれの待受け動作のＯＮ／ＯＦＦを制御する待受け制御手段として機能させ、上記待受け制御手段は、上記フェージングピッチが所定の下限閾値以上且つ所定上限閾値以下の場合に、上記第１の受信手段及び上記第２の受信手段の待ち受け動作をＯＮにし、上記フェージングピッチが上記所定の下限閾値より小さく、かつ、上記通信網検出手段による上記検出結果に基づいて上記近距離無線網の通信圏内に存在すると判断する場合に、上記第２の受信手段の待受け動作をＯＮにすると共に、上記第１の受信手段の待ち受け動作をＯＦＦにし、上記フェージングピッチが上記所定の下限閾値より小さく、かつ、上記通信網検出手段による上記検出結果に基づいて上記携帯電話網の通信圏内のみに存在すると判断する場合に、上記第２の受信手段の待受け動作をＯＦＦにすると共に、上記第１の受信手段の待ち受け動作をＯＮにし、上記フェージングピッチが上記所定の上限閾値より大きい場合に、上記第１の受信手段の待受け動作をＯＮにすると共に、上記第２の受信手段の待受け動作をＯＦＦにする。
【００１４】
この発明によれば、この待受け制御プログラムが移動通信端末にインストールされると、待受け制御プログラムが移動通信端末を上記した通信網検出手段と、フェージングピッチ計測手段と、待受け制御手段として機能させる。すなわち、通信網検出手段によって検出される移動通信端末の存在位置における通信可能な通信網にかかわる情報と、フェージングピッチ計測手段によって計測されるフェージングピッチから予想される移動通信端末の移動速度とに基づく移動通信端末の移動状況に応じて、携帯電話網及び近距離通信網のうち、その移動状況に適した通信エリアをもつ無線通信方式を採用する通信網からの電波を待受けできるように、待受け制御手段が第１及び第２の受信手段のそれぞれの待受け動作のＯＮ／ＯＦＦを制御する。その結果、第１及び第２の受信手段のうち、その移動状況に適した受信手段の待受け動作をＯＮにして、好適な通信を実現するとともに、その移動状況に適さない受信手段の待受け動作をＯＦＦにして、移動通信端末の消費電力を少なくできる。
【００１５】
また、この発明によれば、この待受け制御プログラムが移動通信端末に実現させる待受け制御手段が、フェージングピッチが所定の下限閾値より小さく、かつ、近距離通信網の通信圏内に移動通信端末が存在すると判断する場合に、第２の受信手段の待受け動作をＯＮにする。すなわち、移動通信端末が近距離通信網の通信エリアに存在し、その移動速度が小さいと予想される場合には、通信エリアの狭い近距離通信網の通信圏内から抜け出る可能性が少ないので、高速な通信速度による通信が実現できる第２の受信手段の待受け動作をＯＮにすることで、好適な通信が実現できる。
【００１６】
更に、この発明によれば、この待受け制御プログラムが移動通信端末に実現させる待受け制御手段が、フェージングピッチが所定の上限閾値より大きい場合、すなわち移動通信端末の移動速度が大きい場合に、第１の受信手段の待受け動作をＯＮにし、第２の受信手段の待受け動作をＯＦＦにする。すなわち、移動通信端末の高速な移動に対応できる通信エリアの広い携帯電話網からの電波を受信する第１の受信手段のみで待受けを行うので、移動通信端末の消費電力を少なくするとともに、好適な通信を実現できる。
【００１７】
また、本発明の待受け制御プログラムにおいては、上記待受け制御手段は、上記通信網検出手段による上記検出結果に基づいて、上記携帯電話網及び近距離通信網の通信圏外であると判断する場合に、上記第１及び第２の受信手段の待受け動作を所定時間ＯＦＦにすることを特徴とすることが好適である。
【００１８】
この発明によれば、この待受け制御プログラムが移動通信端末に実現させる通信網検出手段による検出結果に基づいて、携帯電話網及び近距離通信網の双方に接続できないと判断する場合には、待受け制御手段が、第１及び第２の受信手段の双方を所定時間停止させる。このようにして、いずれの通信網からの電波も受信できない場合に、この待受け制御プログラムによって、移動通信端末はその消費電量を少なくすることができる。
【００１９】
【発明の実施の形態】
本発明の実施形態にかかる移動通信端末１について添付の図面を参照して説明する。図１は移動通信端末１の機能的な構成を示すブロック図である。移動通信端末１は、携帯電話網と無線ＬＡＮ（近距離通信網）の双方の無線通信方式に対応しており、物理的には、ＣＰＵ（中央処理装置）、ボタン等の入力装置、ディスプレイ等の表示装置、メモリなどの記憶装置、携帯電話網及び無線ＬＡＮのそれぞれに対応するアンテナなどを備えている。
【００２０】
そして、移動通信端末１は機能的には図１に示すように、携帯電話網無線受信部（第１の受信手段）２と、無線ＬＡＮ無線受信部（第２の受信手段）３と、通信網検出部（通信網検出手段手段）４と、フェージングピッチ計測部（フェージングピッチ計測手段）５と、待受け制御部（待受け制御手段）６を備える。以下、これらの各構成要素について詳細に説明する。
【００２１】
携帯電話網無線受信部２は、ＩＴＵ（国際電気通信連合）によって標準化された第３世代移動通信方式のＩＭＴ−２０００に準拠したＷ−ＣＤＭＡ方式を採用する携帯電話網からの電波を受信する。すなわち、携帯電話網を構成する基地局からの電波を受信する。そして、後述する待受け制御部６による制御のもと、その待受け動作をＯＮにして携帯電話網からの電波を待受け、或いはその待受け動作をＯＦＦにして待受け状態を解除する。なお、この携帯電話網無線受信部２が対応する通信方式としては、第２世代のＰＤＣ（Ｐｅｒｓｏｎａｌ  Ｄｉｇｉｔａｌ  Ｃｅｌｌｕｌａｒ）方式といった移動体通信方式であってもよい。
【００２２】
無線ＬＡＮ無線受信部３は、無線ＬＡＮ（Ｌｏｃａｌ  Ａｒｅａ  Ｎｅｔｗｏｒｋ）からの電波を受信する。すなわち、無線ＬＡＮ構成するアクセスポイント等からの電波を受信する。そして、後述する待受け制御部６による制御のもと、その待受け動作をＯＮにして無線ＬＡＮからの電波を待受け、或いはその待受け動作をＯＦＦにして、待受け状態を解除する。
【００２３】
通信網検出部４は、携帯電話網無線受信部２及び無線ＬＡＮ無線受信部３のそれぞれに受信される電波から、それぞれの電波の受信強度を計測する。そして、携帯電話網無線受信部２によって受信される電波の受信強度が一定の強度以上である場合には、移動通信端末１が携帯電話網への通信圏内にあると判断する。また、無線ＬＡＮ無線受信部３によって受信される電波の受信強度が一定の強度以上である場合には、移動通信端末１が無線ＬＡＮへの通信圏内にあると判断する。
そして、移動通信端末１が携帯電話網及び無線ＬＡＮの通信圏内に存在するか否かに関する通信網検出情報を生成する。
【００２４】
フェージングピッチ計測部５は、携帯電話網無線受信部２及び無線ＬＡＮ無線受信部３のうち、待受け動作中の受信部によって受信される電波のフェージングピッチを計測する。なお、この「フェージングピッチ」とは、受信される電波の強度変化の周波数を意味し、一般に移動通信端末の移動速度が大きい場合にフェージングピッチは大きくなり、移動速度が小さくなるとフェージングピッチは小さくなる傾向がある。そして、このフェージングピッチには、例えば、上記の電波の波形の包絡線を求めて、その包絡線の中心周波数を用いることができる。また、上記の電波（電波の直流成分や信号成分を除いたもの）の、ピーク周波数なども用いることができる。
【００２５】
待受け制御部６は、携帯電話網無線受信部２及び無線ＬＡＮ無線受信部３の待受け動作のＯＮ／ＯＦＦを制御する。すなわち、上述した通信網検出部４によって生成される通信網検出情報やフェージングピッチ計測部５によって計測されるフェージングピッチに基づいて、携帯電話網無線受信部２及び無線ＬＡＮ無線受信部３をそれぞれ待受け動作をＯＮして待受け状態としたり、或いは待受け動作をＯＦＦにして待受け状態を解除する。なお、この待受け制御方法の詳細なについては後述する。
【００２６】
続いて、本実施形態にかかる移動通信端末１の動作について説明し、併せて本実施形態にかかる移動通信端末１の待受け制御方法について説明する。図２〜５は、本実施形態にかかる移動通信端末１の待受け制御方法のフローチャートである。
【００２７】
まず、図２に示すように、移動通信端末１に備える通信網検出部４が、携帯電話網無線受信部２によって受信される電波と無線ＬＡＮ無線受信部３によって受信される電波のそれぞれの受信強度を計測する。そして、携帯電話網無線受信部２によって受信される電波の受信強度が一定の強度以上の場合、携帯電話網の通信圏内であると判断し、無線ＬＡＮ無線受信部３によって受信される電波の受信強度が一定の強度以上の場合に無線ＬＡＮの通信圏内であると判断し、これらの判断結果に関する通信網検出情報を生成する（ステップＳ１）。
【００２８】
次に、待受け制御部６は、通信網検出部４によって生成される通信網検出情報から、移動通信端末１の存在位置において、どの通信網から電波を受信できるかを判断し（ステップＳ２〜Ｓ４）、その判断によって以下の異なる処理をそれぞれを行う。まず、移動通信端末１が携帯電話網のみから電波を受信可能であるか否かを判断する（ステップＳ２）。そして移動通信端末１が携帯電話網のみから電波を受信可能であると判断する場合には、図３に示すフローチャートの処理を行う。このとき、図３に示すように、まず、待受け制御部６は、携帯電話網無線受信部２の待受け動作をＯＮにし、無線ＬＡＮ無線受信部３の待受け動作をＯＦＦにする。すなわち、携帯電話網無線受信部２のみを待受け状態とする（ステップＳ１０１）。
【００２９】
次いで、フェージングピッチ計測部５が、このとき待受け動作中の携帯電話網無線受信部２によって受信される電波のフェージングピッチを計測する（ステップＳ１０２）。そして、フェージングピッチ計測部５によって計測されるフェージングピッチをｆ［Ｈｚ］とし、フェージングピッチの上限閾値ｆｍａｘ［Ｈｚ］、フェージングピッチの下限閾値をｆｍｉｎ［Ｈｚ］とすると、ｆがｆｍｉｎより小さいか、またはｆがｆｍａｘより大きいか否かを判断する（ステップＳ１０３）。そしてｆがｆｍｉｎより小さい場合、またはｆがｆｍａｘより大きい場合に、携帯電話網無線受信部２を待受け動作をＯＮにし、無線ＬＡＮ無線受信部３の待受け動作をＯＦＦにする現在の状態を継続させる。すなわちｆがｆｍｉｎより小さい場合は、移動通信端末１が殆ど移動していないと予想されるので、携帯電話網無線受信部２のみによって電波を待受ける現在の状態を継続する。また、ｆがｆｍａｘより大きい場合は、移動通信端末１が高速に移動していると予想されるので、無線ＬＡＮより通信エリアの広い携帯電話網からの電波を受信する携帯電話網無線受信部２のみによって電波を待受ける現在の状態を継続する。
【００３０】
一方、ｆがｆｍｉｎより小さいか、またはｆがｆｍａｘより大きいか否かを判断して（ステップＳ１０３）、この条件を満たさない場合、すなわちｆがｆｍｉｎ以上かつｆｍａｘ以下の場合に、携帯電話網無線受信部２の待受け動作をＯＮにした現在の状態を維持すると共に、無線ＬＡＮ無線受信部３の待受け動作もＯＮにする（ステップＳ１０４）。すなわち、移動通信端末１は移動しているものの、その速度が大きくない場合は、携帯電話網無線受信部２及び無線ＬＡＮ無線受信部３の両者で電波を待受ける。
【００３１】
次に、通信網検出部４が、携帯電話網無線受信部２及び無線ＬＡＮ無線受信部３のうち、待受け動作中の受信部に受信される電波の受信強度から、携帯電話網、無線ＬＡＮそれぞれから電波を受信可能か否か検出し、携帯電話網、無線ＬＡＮそれぞれの通信圏内に存在するか否かに関する通信網検出情報を生成する（ステップＳ１０５）。この通信網検出情報は、上記のように携帯電話網無線受信部２及び無線ＬＡＮ無線受信部３のうち、待受け動作中の受信部によって一定の強度以上の電波が受信されると、その受信部の対応する通信網の通信圏内であるとして生成される。一方、携帯電話網無線受信部２及び無線ＬＡＮ無線受信部３のそれぞれの待受け動作がＯＦＦの場合には、対応する通信網の通信圏外であるとして生成される。
【００３２】
そして、待受け制御部６は、通信網検出部４によって生成される通信網検出情報から、移動通信端末１の存在位置において、どの通信網から電波を受信できるかを判断し（ステップＳ１０６〜Ｓ１０８）、その判断によって以下の異なる処理をそれぞれ行う。まず、携帯電話網のみから電波を受信できるか否かを判断する（ステップＳ１０６）。そして、携帯電話網のみから電波を受信できる場合には、図３のフローチャートに示す処理を繰り返す。また、無線ＬＡＮのみから電波を受信できると判断するか否かを判断し（ステップＳ１０７）、無線ＬＡＮのみから電波を受信できる場合には、図４のフローチャートに示す処理を行う。また、携帯電話網と無線ＬＡＮ網の両者から電波を受信できるか否かを判断し（ステップＳ１０８）、携帯電話網と無線ＬＡＮ網の両者から電波を受信できる場合には、図５のフローチャートに示す処理を行う。一方、携帯電話網と無線ＬＡＮ網の両者から電波を受信できないと判断する場合には、図６のフローチャートに示す処理を行う。
【００３３】
図２に戻って、移動通信端末１が無線ＬＡＮのみから電波を受信可能であるか否かを判断する（ステップＳ３）。そして、移動通信端末１が無線ＬＡＮのみから電波を受信可能な場合には、図４に示すフローチャートの処理を行う。このとき、図４に示すように、まず、待受け制御部６は、無線ＬＡＮ無線受信部３の待受け動作をＯＮにし、携帯電話網無線受信部２の待受け動作をＯＦＦにする。すなわち、無線ＬＡＮ無線受信部３のみを待受け状態とする（ステップＳ２０１）。
【００３４】
次いで、フェージングピッチ計測部５が、このとき待受け動作中の無線ＬＡＮ無線受信
部３によって受信される電波のフェージングピッチを計測する（ステップＳ２０２）。そして、フェージングピッチ計測部５によって計測されるフェージングピッチをｆ［Ｈｚ］とし、フェージングピッチの上限閾値ｆｍａｘ［Ｈｚ］、フェージングピッチの下限閾値をｆｍｉｎ［Ｈｚ］とすると、ｆがｆｍａｘより大きいか否かを判断する（ステップＳ２０３）。そしてｆがｆｍａｘより大きい場合は、携帯電話網無線受信部２の待受け動作をＯＮにし、無線ＬＡＮ無線受信部３の待受け動作をＯＦＦにする（ステップＳ２０４）。すなわち、ｆがｆｍａｘより大きい場合は、移動通信端末１が高速に移動していると予想されるので、無線ＬＡＮより通信エリアの広い携帯電話網からの電波を受信する携帯電話網無線受信部２のみによって電波を待受ける。
【００３５】
また、ｆがｆｍｉｎ以上かつｆｍａｘ以下であるか否かを判断し（ステップＳ２０５）、この条件を満たす場合に、無線ＬＡＮ無線受信部３の待受け動作をＯＮにしている現在の状態を維持すると共に、携帯電話網無線受信部２の待受け動作をＯＮにする（ステップＳ２０６）。すなわち、移動通信端末１は移動しているものの、その速度が大きくない場合は、携帯電話網無線受信部２及び無線ＬＡＮ無線受信部３の両者で電波を待受ける。
【００３６】
また、ｆがｆｍｉｎ以上かつｆｍａｘ以下であるか否かを判断し（ステップＳ２０５）、この条件を満たさない場合、すなわち、ｆがｆｍｉｎより小さい場合は、移動通信端末１は殆ど移動していないと予想されるので、携帯電話網無線受信部２の待受け動作をＯＦＦにし、無線ＬＡＮ無線受信部３の待受け動作をＯＮにして、無線ＬＡＮからの電波を待受ける現在の状態を継続する。
【００３７】
次に、通信網検出部４が、携帯電話網無線受信部２及び無線ＬＡＮ無線受信部３のうち、待受け動作中の受信部に受信される電波の受信強度から、携帯電話網、無線ＬＡＮそれぞれから電波を受信可能か否か検出し、携帯電話網、無線ＬＡＮそれぞれの通信圏内に存在するか否かに関する通信網検出情報を生成する（ステップＳ２０７）。この通信網検出情報は、上記のように携帯電話網無線受信部２及び無線ＬＡＮ無線受信部３のうち、待受け動作中の受信部によって一定の強度以上の電波が受信されると、その受信部の対応する通信網の通信圏内であるとして生成される。一方、携帯電話網無線受信部２及び無線ＬＡＮ無線受信部３のそれぞれの待受け動作がＯＦＦの場合には、対応する通信網の通信圏外であるとして生成される。
【００３８】
そして、待受け制御部６は、通信網検出部４によって生成される通信網検出情報から、移動通信端末１の存在位置において、どの通信網から電波を受信できるかを判断し（ステップＳ２０８〜Ｓ２１０）、その判断によって以下の異なる処理をそれぞれ行う。まず、携帯電話網のみから電波を受信できるか否かを判断し（ステップＳ２０８）、携帯電話網のみから電波を受信できる場合には、図３のフローチャートに示す処理を行う。また、無線ＬＡＮのみから電波を受信できるか否かを判断し（ステップＳ２０９）、無線ＬＡＮのみから電波を受信できる場合には、図４のフローチャートに示す処理を繰り返す。また、携帯電話網と無線ＬＡＮ網の両者から電波を受信できるか判断し（ステップＳ２１０）、この条件を満たす場合には、図５のフローチャートに示す処理を行う。一方、この条件を満たさない場合、すなわち、携帯電話網と無線ＬＡＮ網の両者から電波を受信できない場合には、図６のフローチャートに示す処理を行う。
【００３９】
図２に戻って、移動通信端末１が携帯電話網及び無線ＬＡＮの両者から電波を受信可能であるか否かを判断する（ステップＳ４）。そして、移動通信端末１が携帯電話網及び無線ＬＡＮの両者から電波を受信可能である場合には、図５に示すフローチャートの処理を行う。このとき、図５に示すように、まず、待受け制御部６は、無線ＬＡＮ無線受信部３の待受け動作をＯＮにし、携帯電話網無線受信部２の待受け動作をＯＦＦにする。すなわち、携帯電話網及び無線ＬＡＮの両者から電波を受信可能であると判断する場合には、より高速な通信速度によって通信が可能な、無線ＬＡＮ無線受信部３のみを待受け状態とする（ステップＳ３０１）。
【００４０】
次いで、フェージングピッチ計測部５が、このとき待受け動作中の無線ＬＡＮ無線受信部３によって受信される電波のフェージングピッチを計測する（ステップＳ３０２）。そして、フェージングピッチ計測部５によって計測されるフェージングピッチをｆ［Ｈｚ］とし、フェージングピッチの上限閾値ｆｍａｘ［Ｈｚ］、フェージングピッチの下限閾値をｆｍｉｎ［Ｈｚ］とすると、ｆがｆｍａｘより大きいか否かを判断する（ステップＳ３０３）。そしてｆがｆｍａｘより大きい場合は、携帯電話網無線受信部２の待受け動作をＯＮにし、無線ＬＡＮ無線受信部３の待受け動作をＯＦＦにする（ステップＳ３０４）。すなわち、ｆがｆｍａｘより大きい場合は、移動通信端末１が高速に速度で移動していると予想されるので、無線ＬＡＮより通信エリアの広い携帯電話網からの電波を受信する携帯電話網無線受信部２のみによって電波を待受ける。
【００４１】
また、ｆがｆｍｉｎ以上かつｆｍａｘ以下であるかを判断する（ステップＳ３０５）。そして、ｆがｆｍｉｎ以上かつｆｍａｘ以下である場合に、無線ＬＡＮ無線受信部３の待受け動作をＯＮにした現在の状態を維持するとともに、携帯電話網無線受信部２の待受け動作をＯＮにする（ステップＳ３０６）。すなわち、移動通信端末１は移動しているものの、その速度が大きくない場合は、携帯電話網無線受信部２及び無線ＬＡＮ無線受信部３の両者で電波を待受ける。
【００４２】
また、ｆがｆｍｉｎ以上かつｆｍａｘ以下であるかを判断して（ステップＳ３０５）、この条件を満たさない場合、すなわち、ｆがｆｍｉｎより小さい場合は、移動通信端末１は殆ど移動していないと予想されるので、携帯電話網無線受信部２の待受け動作をＯＦＦにし、無線ＬＡＮ無線受信部３の待受け動作をＯＮにして、無線ＬＡＮからの電波を待受ける現在の状態を継続する。
【００４３】
次に、通信網検出部４が、携帯電話網無線受信部２及び無線ＬＡＮ無線受信部３のうち、待受け動作中の受信部に受信される電波の受信強度から、携帯電話網、無線ＬＡＮそれぞれから電波を受信可能か否か検出し、携帯電話網、無線ＬＡＮそれぞれの通信圏内に存在するか否かに関する通信網検出情報を生成する（ステップＳ３０７）。この通信網検出情報は、上記のように携帯電話網無線受信部２及び無線ＬＡＮ無線受信部３のうち、待受け動作中の受信部によって一定の強度以上の電波が受信されると、その受信部の対応する通信網の通信圏内であるとして生成される。一方、携帯電話網無線受信部２及び無線ＬＡＮ無線受信部３のそれぞれの待受け動作がＯＦＦの場合には、対応する通信網の通信圏外であるとして生成される。
【００４４】
そして、待受け制御部６は、通信網検出部４によって生成される通信網検出情報から、移動通信端末１の存在位置において、どの通信網から電波を受信できるかを判断し（ステップＳ３０８〜Ｓ３１０）、その判断によって以下の異なる処理をそれぞれを行う。まず、携帯電話網のみから電波を受信できるか否かを判断する（ステップＳ３０８）。そして携帯電話網のみから電波を受信できる場合には、図３のフローチャートに示す処理を行う。また、無線ＬＡＮのみから電波を受信できるか否かを判断し（ステップＳ３０９）、無線ＬＡＮのみから電波を受信できる場合には、図４のフローチャートに示す処理を行う。また、携帯電話網と無線ＬＡＮ網の両者から電波を受信できるか否かを判断し（ステップＳ３１０）、この条件を満たす場合には、図５のフローチャートに示す処理を繰り返す。一方、この条件を満たさない場合、すなわち、携帯電話網と無線ＬＡＮ網の両者から電波を受信できない場合には、図６のフローチャートに示す処理を行う。
【００４５】
図２に戻って、移動通信端末１が携帯電話網及び無線ＬＡＮの両者から電波を受信できるか否かを判断し（ステップＳ４）、この条件を満たさない場合、すなわち、移動通信端末１が携帯電話網及び無線ＬＡＮの両者から電波を受信できない場合には、図６に示すフローチャートの処理を行う。このとき、図６に示すように、まず、待受け制御部６は、携帯電話網無線受信部２、無線ＬＡＮ無線受信部３の両者の待受け動作を所定時間ＯＦＦにする（ステップＳ４０１）。そして、待受け制御部６は、所定時間経過後に、携帯電話網無線受信部２、無線ＬＡＮ無線受信部３の両者の待受け動作をＯＮにする（ステップＳ４０２）。
【００４６】
次に、通信網検出部４が、携帯電話網無線受信部２及び無線ＬＡＮ無線受信部３のそれぞれに受信される電波の受信強度から、携帯電話網、無線ＬＡＮそれぞれから電波を受信可能か否か検出し、携帯電話網、無線ＬＡＮそれぞれの通信圏内に存在するか否かに関する通信網検出情報を生成する（ステップＳ４０３）。
【００４７】
そして、待受け制御部６は、通信網検出部４によって生成される通信網検出情報から、移動通信端末１の存在位置において、どの通信網から電波を受信できるかを判断し（ステップＳ４０４〜Ｓ４０６）、その判断によって以下の異なる処理をそれぞれ行う。まず、携帯電話網のみから電波を受信できるか否かを判断する（ステップＳ４０４）。そして、携帯電話網のみから電波を受信できる場合には、図３のフローチャートに示す処理を行う。また、無線ＬＡＮのみから電波を受信できるか否かを判断する（ステップＳ４０５）。そして、無線ＬＡＮのみから電波を受信できる場合には、図４のフローチャートに示す処理を行う。また、携帯電話網と無線ＬＡＮ網の両者から電波を受信できるか否かを判断し（ステップＳ４０６）、この条件を満たす場合には、図５のフローチャートに示す処理を行う。一方、この条件を満たさない場合、すなわち、携帯電話網と無線ＬＡＮ網の両者から電波を受信できないと判断する場合には、図６のフローチャートに示す処理を繰り返す。
【００４８】
続いて、実施形態にかかる待受け制御プログラム１００について説明する。図７は待受け制御プログラム１００のモジュール構成を示すブロック図である。図７に示すように、本実施形態の待受け制御プログラム１００は、メインモジュール１０１、通信網検出モジュール１０２、フェージングピッチ計測モジュール１０３、待受け制御モジュール１０４を備える。このメインモジュール１０１は、処理を統括するモジュールであり、通信網検出モジュール１０２、フェージングピッチ計測モジュール１０３、待受け制御モジュール１０４はそれぞれ、通信網検出部４、フェージングピッチ計測部５、待受け制御部６の機能を移動通信端末１に実現させる。したがって、待受け制御プログラム１００のインストーラを管理するサーバから、この待受け制御プログラム１００のインストーラが移動通信端末１にダウンロードされて、待受け制御プログラム１００が移動通信端末１にインストールされると、上述した待受け制御を移動通信端末１に実現させる。
【００４９】
以下、本実施形態にかかる移動通信端末１の作用及び効果を説明する。ます、通信網検出部４が、携帯電話網無線受信部２及び無線ＬＡＮ無線受信部３のうち、待受け動作中の受信部によって受信される電波の受信強度に基づいて、携帯電話網及び無線ＬＡＮそれぞれの通信圏内であるか否かに関する通信網検出情報を生成する。また、フェージングピッチ計測部５が、携帯電話網無線受信部２及び無線ＬＡＮ無線受信部３のうち、待受け動作中の受信部によって受信される電波のフェージングピッチを計測する。このフェージングピッチと通信網検出情報に基づいて、待受け制御部６が携帯電話網無線受信部２及び無線ＬＡＮ無線受信部３のそれぞれの待受け動作を制御する。ここで、フェージングピッチは一般に移動通信端末１の移動速度と比例する傾向を示す。したがって、通信網検出情報とフェージングピッチから予想される移動通信端末１の移動速度に基づいた移動通信端末１の移動状況に応じて、携帯電話網及び無線ＬＡＮのうち、その移動状況に適した無線通信方式を採用する通信網からの電波を待受けできるように、携帯電話網無線受信部２及び無線ＬＡＮ無線受信部３の待受け動作のＯＮ／ＯＦＦを制御する。その結果、携帯電話網無線受信部２及び無線ＬＡＮ無線受信部３のうち、その移動状況に適さない受信部の待受け動作をＯＦＦにすることにより、移動通信端末１の消費電力を少なくできるとともに、その移動状況に適した受信部の待受け動作をＯＮにすることで好適な通信が実現できる。例えば、フェージングピッチが大きい場合は、移動通信端末１の速度が大きいと予想されるので、移動速度が大きい場合に適する通信エリアの広い携帯電話網から電波を受信できる携帯電話網無線受信部２のみの待受け動作をＯＮにして好適な通信を実現するとともに、無線ＬＡＮ無線受信部３の待受け動作をＯＦＦにすることにより、移動通信端末１の消費電力を低減する。一方、フェージングピッチが小さいため移動通信端末１の移動速度が小さいと予想され、かつ通信網検出情報から無線ＬＡＮの通信圏内に存在すると判断される場合には、待受け制御部６が無線ＬＡＮ無線受信部３の待受け動作をＯＮにする。すなわち、通信網圏検出情報から移動通信端末１が無線ＬＡＮの通信圏内にあると判断され、フェージングピッチから移動通信端末１は殆ど移動しないと判断される場合には、高速な通信速度で通信できる無線ＬＡＮ無線受信部３の待受け動作をＯＮにして、好適な通信を実現する。また、待受け制御部６は、通信網検出部４によって生成される通信網検出情報に基づいて、携帯電話網と無線ＬＡＮの両者から電波を受信できないと判断する場合には、携帯電話網無線受信部２及び無線ＬＡＮ無線受信部３の両者の待受け動作を所定時間ＯＦＦにする。これにより、移動通信端末１は、その消費電量を少なくするとともに、所定時間経過後に携帯電話網無線受信部２及び無線ＬＡＮ無線受信部３で電波を受信できるか否かについて再度確認できる。
【００５０】
なお、本発明は上記した本実施形態に限定されることなく種々の変形が可能である。まず、本実施携帯に示した技術は、携帯電話網と無線ＬＡＮとのように、通信エリアと通信速度の異なる二つの無線通信方式を採用する移動通信端末に適用可能である。したがって、例えば、無線ＬＡＮ無線受信部３に代えて、Ｂｌｕｅｔｏｏｔｈなどの近距離無線から電波を受信する受信部を適用することができる。
【００５１】
また、上記したように、フェージングピッチ計測部５によって計測されるフェージングピッチに対して適用する上限閾値（ｆｍａｘ）や下限閾値（ｆｍａｘ）は、携帯電話網無線受信部２によって受信される電波から計測するフェージングピッチと、無線ＬＡＮ無線受信部３によって受信される電波から計測するフェージングピッチとで、異なる値を適用しても良い。
【００５２】
また、図４に示すフローチャートの処理、すなわち、移動通信端末１が携帯電話網、無線ＬＡＮの両者から電波を受信できる場合の処理においては、携帯電話網無線受信部２の待受け動作をＯＦＦにし、無線ＬＡＮ無線受信部３によって電波の待受けを行っている（ステップＳ３０１）が、この設定は、ユーザによる変更を妨げるものではない。例えばユーザが携帯電話網からの電波を受信することを優先させたいい場合には、携帯電話網無線受信部２の待受け動作をＯＮにし、無線ＬＡＮ無線受信部３の待受け動作をＯＦＦにするように、変更することも可能である。
【００５３】
【発明の効果】
本発明によれば、通信網検出手段によって検出される携帯電話網及び近距離無線網の通信圏内であるか否かに関する検出結果と、フェージングピッチ計測手段によって計測されるフェージングピッチとに基づいて、待受け制御手段が第１及び第２の受信手段のそれぞれの待受け動作のＯＮ／ＯＦＦを制御する。その結果、第１及び第２の受信手段のうち、移動通信端末の移動状況に適した受信手段の待受け動作をＯＮにして好適な通信を実現するとともに、移動通信端末の移動状況に適さない受信手段の待受け動作を停止させて、移動通信端末の消費電力を少なくできる。
【図面の簡単な説明】
【図１】  実施形態にかかる移動通信端末の機能的な構成を示すブロック図である。
【図２】  実施形態にかかる待受け制御方法のフローチャートである。
【図３】  実施形態にかかる待受け制御方法のフローチャートである。
【図４】  実施形態にかかる待受け制御方法のフローチャートである。
【図５】  実施形態にかかる待受け制御方法のフローチャートである。
【図６】  実施形態にかかる待受け制御方法のフローチャートである。
【図７】  実施形態にかかる待受け制御プログラムの構成を示すブロック図である。
【符号の説明】
１…移動通信端末、２…携帯電話網無線受信部、３…無線ＬＡＮ無線受信部、４…通信網検出部、５…フェージングピッチ計測部、６…待受け制御部
【図１】
0003669978.tif 000002
【図２】
0003669978.tif 000003
【図３】
0003669978.tif 000004
【図４】
0003669978.tif 000005
【図５】
0003669978.tif 000006
【図６】
0003669978.tif 000007
【図７】
0003669978.tif 000008